(57)【特許請求の範囲】
【請求項１】
コイン投入口の下方に回転円盤を設け、同回転円盤の中央部の外側上面にコイン下面研磨用ブラシ毛を植設し、同回転円盤の外周縁に環状外周フレームを設け、投入口と回転円盤との間にコイン投入ガイド筒を設けるとともに、同コイン投入ガイド筒の下縁を半径方向にスカート状に拡げ、しかも同スカート部の下縁と回転円盤の上面との間の間隔を大きくして複数枚のコインを水平状態で通過させるようにし、又回転円盤に植設したブラシ毛の上方にコイン上面研磨用ブラシ毛を設け、又環状外周フレームの周面の一部を開口し、同開口にコインを多列に排出する多列排出路を設け、同多列排出路の途中に同時に複数のコインの通過を検出可能なコイン検出器を設け、同コイン検出器が出力するコイン信号を加算してコインの通過枚数を計算するコインカウンターを設け、回転円盤のブラシ毛とその上方のブラシ毛との相対運動によってコインの上下面を研磨するとともにコインの枚数をカウントすることを特徴とするコインの研磨計数装置。
【請求項２】
コイン上面研磨用ブラシ毛を固定した請求項１記載のコインの研磨計数装置。
【請求項３】
回転円盤上方に投入口方向に向けて下り勾配の投入シュートを設け、同投入シュートの中央部を開口して投入口とし、又同投入口の下方の回転円盤の中央部分を非植毛部分とした請求項１，２何れか記載のコインの研磨計数装置。
【請求項４】
ブラシ毛を植毛する回転円盤の外側上面を回転円盤の植毛しない中央部上面より低くし、且つ外側上面に植毛されたブラシ毛の上端を回転円盤の植毛しない中央部上面と略同一レベルとした請求項１，２，３何れか記載のコインの研磨計数装置。
【発明の詳細な説明】
【０００１】
【発明の属する技術分野】
本発明は、遊技用コイン・メダル・硬貨（本明細書中単にコインと総称する）の表面を研磨して油・脂・ゴミ・汚れを除去するとともに、コインの枚数を計数する装置であって、パチンコ遊技場，ゲーム場で主に使用される。
【０００２】
【従来の技術】
従来、コインを近接する方向に付勢された一対の研磨布の間を通過させることで、コインを研磨する装置が知られている。
しかしながら、この研磨方式ではコインを一列にして研磨するので、コインの研磨時間がその枚数を乗じる時間となり、長い研磨時間がかかっていた。又コインを一列に送る装置が必要としていた。
一方コイン計数装置として、回転円盤上にコインを投入し、コインを遠心力で環状外周フレーム内面に移動させ、コインを外周フレーム内面に沿って回転させながらその開口部分から一個毎吐出し、その吐出した個所にコイン検出器とコインカウンターを設けた構造のものが知られている。
このコイン計数装置では、投入したコインは遠心力で速い速度で外周フレーム内面に投擲され、外周フレームの内面周辺部分にコインが多数重なるように集積して、吐出されるまでこの位置で周回し、コイン同士の接触及びコインと外周フレーム内面との接触が多くなって、コイン及び外周フレーム内面の損傷が大きいという問題点がある。
更に、コインを計数してコインを研磨するには、コイン研磨装置とコイン計数装置との二台の装置を必要とする。しかも各装置ともコインを一列に送るコイン一列送り装置を備えるものであり、そのためコストが嵩むとともに装置が大型化し、又処理速度も低いものとなっていた。
【０００３】
【発明が解決しようとする課題】
本発明は、従来のかかる問題点を解消し、小型で且つ安価で研磨及びコイン計数の処理速度処理量能力が高いコイン研磨計数装置を提供することにある。
【０００４】
【課題を解決するための手段】
かかる課題を解決した本発明の構成は、
１）  コイン投入口の下方に回転円盤を設け、同回転円盤の中央部の外側上面にコイン下面研磨用ブラシ毛を植設し、同回転円盤の外周縁に環状外周フレームを設け、投入口と回転円盤との間にコイン投入ガイド筒を設けるとともに、同コイン投入ガイド筒の下縁を半径方向にスカート状に拡げ、しかも同スカート部の下縁と回転円盤の上面との間の間隔を大きくして複数枚のコインを水平状態で通過させるようにし、又回転円盤に植設したブラシ毛の上方にコイン上面研磨用ブラシ毛を設け、又環状外周フレームの周面の一部を開口し、同開口にコインを多列に排出する多列排出路を設け、同多列排出路の途中に同時に複数のコインの通過を検出可能なコイン検出器を設け、同コイン検出器が出力するコイン信号を加算してコインの通過枚数を計算するコインカウンターを設け、回転円盤のブラシ毛とその上方のブラシ毛との相対運動によってコインの上下面を研磨するとともにコインの枚数をカウントすることを特徴とするコインの研磨計数装置
２）  コイン上面研磨用ブラシ毛を固定した請求項１記載のコインの研磨計数装置
３）  回転円盤上方に投入口方向に向けて下り勾配の投入シュートを設け、同投入シュートの中央部を開口して投入口とし、又同投入口の下方の回転円盤の中央部分を非植毛部分とした前記１），２）何れか記載のコインの研磨計数装置
４）  ブラシ毛を植毛する回転円盤の外側上面を回転円盤の植毛しない中央部上面より低くし、且つ外側上面に植毛されたブラシ毛の上端を回転円盤の植毛しない中央部上面と略同一レベルとした前記１），２），３）何れか記載のコインの研磨計数装置
にある。
【０００５】
【作用】
本発明では、コインが投入口から落下すると、コインは回転円盤の中央部にのり、回転円盤の回転による遠心力で外側の方へ移動する。コインは回転円盤の外側に設けたブラシ毛の上に移動し、上方の固定したブラシ毛又は下方のブラシ毛と相対速度でもって動く上方のブラシ毛との間に挟まれる。遠心力でコインが外側方向に動く間、上下のブラシ毛によってコインの上下面は研磨され、外周フレームの内面と接触し、外周フレームの内面に沿って転がってその開口からコインを多列排出路を介して排出していく。コイン多列排出路ではコイン検出器が複数のコインの通過を検出し、コイン検出信号をコインカウンターへ送って通過コインの数を加算してカウントする。
又コインは上下のブラシ毛との摩擦力で外周フレームへの移動速度が抑えられ、外周フレーム内面では１列になる程度にゆっくりと送られる。即ち、開口から吐出されるコインの排出処理速度と外周フレーム内面への送り処理速度が略同じようにでき、よってコインが外周フレーム内面で重なったり、複数列になることがないように円滑に移動できるようになる。これによってコイン同士及び外周フレーム内面との接触が少なくなり、損傷を小さくできる。
本発明での他の重要な点は、コインの研磨と計数作業を一回の工程で済むので大巾に処理速度を高めることができる。
【０００６】
【発明の実施の形態】
本発明の回転円盤上面に植設される下方のブラシ毛の上端と、上方のブラシ毛の下端との間隔はコイン１枚の厚みよりやや短かくし、ブラシ毛がある程度確実にコイン表面に接触するようにすることが好ましい。
投入口の下方にコイン投入ガイド筒を設けることが、コインのブラシ毛への移動を円滑にし、投入口下方でコインが詰らないようにできる。
上方のブラシ毛は下方の回転円盤のブラシ毛に対し、固定又は相対運動があるように回転させることもできるが、固定する方法の方が構造・機構が簡単で好ましい。
コイン検出器としては、ＬＥＤを複数個多列排出路の路面に排出方向と交差するように埋設し、且つＬＥＤの上方に受光器を複数のＬＥＤと対向するように設け、ＬＥＤと受光器との間を通過するコインがＬＥＤの光を遮断することでコインの通過を感知出来、同時に複数のコインの通過を瞬時に感知出来、望ましい。ＬＥＤと受光器は逆に設置してもよい。
【０００７】
【実施例】
以下、本発明の実施例を図面に基づいて説明する。
図１は実施例の縦断面図である。
図２は実施例の投入シュートを外した平面図である。
図３は実施例の斜視図である。
図４は実施例の一部切欠斜視図である。
図５は実施例の一部切欠斜視図である。
図６は実施例の分解斜視図である。
図７は実施例の上方ブラシを示す一部切欠斜視図である。
図８は実施例の回転円盤を示す一部切欠斜視図である。
図９は実施例の内部機構を示す説明図である。
図１０は実施例の研磨状態を示す説明図である。
【０００８】
図１〜１０に示す実施例は、回転円盤の投入口の下方の中央部分を除いてその外側に下方のブラシ毛を植毛し、しかも同ブラシ毛の上端と回転円盤中央部の上面とを略同一レベルにし、上方のブラシ毛を固定し、投入口にコイン投入ガイド筒を設けた例である。
【０００９】
；実施例（図１〜図１０参照）
図１〜１０中、１はコインを投入する中央に向けて下り勾配の投入シュート、１ａは同投入シュートの中央部に設けた投入口、２は回転円盤、２ａは同回転円盤の中央部、２ｂは回転円盤のブラシ毛２ｃを植毛する中央部２ａの上面より低い位置のブラシ毛植毛面、２ｃは同ブラシ毛植毛面に植毛した下方のブラシ毛、２ｄは回転円盤２の裏面に設けた回転動力伝達ピン８ｂの挿入孔、３は回転円盤２の上方に固設された上方ブラシ盤、３ａは上方ブラシ盤の裏面に植毛された上方ブラシ毛、３ｂは中央に開口したコイン通過口、３ｃは同コイン通過口の口縁に取付けたコイン導入ガイド筒であって、同コイン導入ガイド筒の下部は外方向に拡がってスカート状となっている。又同コイン導入ガイド筒の下縁と回転円盤２の中央部２ａの上面との間の間隔はコインＣの厚みの３枚分より大きく４枚分より小さい長さである。４は回転円盤２の環状外周フレーム、４ａは同外周フレームの周面に設けられたコインＣを同時に複数枚通過可能な広さの開口、５はコイン多列排出路、５ａはコイン吐出口、６はコイン検出器、６ａはコイン検出器６の一部を構成するものであって６ａはコイン多列排出路５の路面に排出方向と交差するように一列に埋設した複数のＬＥＤ、６ｂはコイン検出器６の一部を構成するものであってＬＥＤ６ａの上方向に対向状態に設けた複数の受光器、７は同コイン検出器の検出信号を入力してコインの通過枚数をカウントするコインカウンター、７ａは同コインカウンターのコイン通過枚数表示器、８は回転円盤２の駆動機構、８ａは回転円盤２を回動させる回転軸、８ｂは同回転軸の軸端に立設した回転動力伝達ピン、８ｃは軸受、８ｄは回転軸８ａの下端に取付けたベルト車、８ｅはモータ、８ｆは同モータ８ｅの回転軸の軸に取付けたベルト車、８ｇはベルト車８ｅ，８ｆを連動するタイミングベルト、８ｈは支持板、９は装置ケーシング、Ｃはコインである。
【００１０】
この実施例では、まず、モータ８ｅを作動させることで、ベルト車８ｅ，８ｆ，タイミングベルト車８ｄを介して回転軸８ａを回転させる。同回転軸８ａの回転によって回転動力伝達ピン８ｂを介して回転円盤２が回転する。この回転円盤２の回転状態にしてコインＣを投入する。コインＣが投入シュート１ヘ投入されると、コインＣは下り勾配に沿って中央の投入口１ａへ移動し、投入口１ａ，コイン導入ガイド筒３ｃを落下して回転円盤２の中央部２ａ上に落下する。
回転円盤２の中央部２ａに落下したコインＣは回転することで遠心力が発生して半径方向（外側方向）へ移動しようとする。このときコイン導入ガイド筒３ｃによって規制され、水平の状態で外方向へ移動する。外方向に移動したコインＣは略同一レベルの下方のブラシ毛２ｃの上面に移動する。
コインＣは下方の回転するブラシ毛２ｃと上方の固定されたブラシ毛３ａとの間に挟まれて移動する。上方のブラシ毛３ａはコインＣを動かないようにし、下方のブラシ毛２ｃは円周方向に動かそうとし、更に遠心力はコインＣを半径方向に移動させようとするがその拮抗で、コインＣはブラシ毛で上下面摩擦されて研磨されながらあまり速くならない程度の速度で螺旋状に動いて外周フレーム４の内面に当り、この外周フレーム４の内面に沿って転がりながら移動し、そのうち開口４ａに入り込んでコイン多列排出路５へ移動し、吐出口５ａから排出される（図２参照）。
この吐出口５ａ近くにあるコイン検出器６によってコインＣの通過を検出し、コインカウンター７で通過枚数を加算していき、その通過枚数をコイン通過枚数表示器７ａに出力して表示する。
コイン検出器６はコイン多列排出路５を通過することで、ＬＥＤ６ａの光を遮断し、この光の遮断を受光器６ｂで感知してコインカウンター７に信号を送り、通過したコインの数を計測していく。このため、同時に複数のコインが通過しても計数が可能である。
【００１１】
以上の実施例では、複数のコインＣが同時に投入され、回転円盤２の上面に分散してブラシ毛で同時に研磨され，且つコイン多列排出路５を介して同時に複数のコインＣを排出出来るので、研磨・計数処理速度がきわめて速くできる。
【００１２】
【発明の効果】
以上の様に、本発明によれば複数のコインは同時に、回転円盤上の上下の相対運動するブラシ毛の間を通過する過程で研磨されるので、一回の工程で研磨と計数を行え、研磨・計数処理時間を大巾に短縮できるものとした。
又、コインの重なり、コイン同士又は外周フレームとの接触を少なくして整然と送るので、コイン及び外周フレーム内面の損傷を少なくできる。
又コイン導入ガイド筒によって確実にコインを詰らないようにブラシ毛の方向に送るものとしている。
又、回転円盤の中央部と下方のブラシ毛とのレベルを略同じにすることでコインのブラシ毛への移動を容易にしている。
【図面の簡単な説明】
【図１】実施例の縦断面図である。
【図２】実施例の投入シュートを外した平面図である。
【図３】実施例の斜視図である。
【図４】実施例の一部切欠斜視図である。
【図５】実施例の一部切欠斜視図である。
【図６】実施例の分解斜視図である。
【図７】実施例の上方ブラシを示す一部切欠斜視図である。
【図８】実施例の回転円盤を示す一部切欠斜視図である。
【図９】実施例の内部機構を示す説明図である。
【図１０】実施例の研磨状態を示す説明図である。
【符号の説明】
１    投入シュート
１ａ  投入口
２    回転円盤
２ａ  中央部
２ｂ  ブラシ毛植毛面
２ｃ  ブラシ毛
２ｄ  挿入孔
３    上方ブラシ盤
３ａ  ブラシ毛
３ｂ  コイン通過口
３ｃ  コイン導入ガイド筒
４    外周フレーム
４ａ  開口
５    コイン多列排出路
５ａ  コイン吐出口
６    コイン検出器
６ａ  ＬＥＤ
６ｂ  受光器
７    コインカウンター
７ａ  コイン通過枚数表示器
８    駆動機構
８ａ  回転軸
８ｂ  回転動力伝達ピン
８ｃ  軸受
８ｄ  ベルト車
８ｅ  モータ
８ｆ  ベルト車
８ｇ  タイミングベルト
８ｈ  支持板
９    装置ケーシング
Ｃ    コイン
【図１】
0004077532.tif 000002
【図２】
0004077532.tif 000003
【図３】
0004077532.tif 000004
【図４】
0004077532.tif 000005
【図５】
0004077532.tif 000006
【図６】
0004077532.tif 000007
【図７】
0004077532.tif 000008
【図８】
0004077532.tif 000009
【図９】
0004077532.tif 000010
【図１０】
0004077532.tif 000011